(57)【要約】      （修正有）【課題】自家発電装置の発電電力が商用電力系統に逆潮流することのないよう自家発電装置を制御する機能を備えた高圧受電設備監視システムを提供する。【解決手段】高圧受電設備監視システムにおいて、電力会社から送電された商用電力を受電すると共に自家発電装置が接続されて、双方の電力を負荷に供給するキュービクル１を監視して、外部のクラウドサーバ５に使用電力情報及び発電電力情報を送信する監視装置２を備える。監視装置２は、太陽光発電装置７の発電電力を制御する発電電力制御部を有する。発電電力制御部は、発電電力が使用電力を超えないよう制御する。【選択図】図１
2020202729.tif 000002
【特許請求の範囲】
【請求項１】
電力会社から送電された商用電力を受電すると共に自家発電装置が接続されて、双方の電力を負荷に供給する高圧受電設備を監視して、外部のクラウドサーバに使用電力情報及び発電電力情報を送信する監視装置を備えた高圧受電設備監視システムであって、
前記監視装置は、前記自家発電装置の発電電力を制御する発電電力制御部を具備し、
前記発電電力制御部は、前記発電電力が使用電力を超えないよう制御することを特徴とする高圧受電設備監視システム。
【請求項２】
前記自家発電装置が太陽光発電装置であり、前記発電電力制御部は、発電電力を交流に変換するパワーコンディショナを制御して発電電力の抑制を図ることを特徴とする請求項１記載の高圧受電設備監視システム。
【発明の詳細な説明】
【技術分野】
【０００１】
本発明は、高圧受電設備を外部から監視する高圧受電設備監視システムに関し、特に自家発電装置を備えた高圧受電設備を監視する高圧受電設備監視システムに関する。
【背景技術】
【０００２】
高圧受電設備であるキュービクルに高圧受電設備の状態を監視する監視装置を設けて、外部から高圧受電設備の受電電力や内部温度等を監視するシステムがある。
例えば特許文献１のキュービクル管理システムでは、キュービクル内に監視装置を配置する一方、外部に監視装置が収集した情報を管理するクラウドサーバを配置し、電力、電流、電圧を監視装置が計測してクラウドサーバに送信し、データを蓄積したクラウドサーバにアクセスすることで計測データを閲覧して高圧受電設備の状況を把握可能とした。
【先行技術文献】
【特許文献】
【０００３】
【特許文献１】特開２０１９−３２７６１号公報
【発明の概要】
【発明が解決しようとする課題】
【０００４】
上記従来のキュービクル管理システムでは、キュービクルに設置される監視装置により、商用電力から供給される電力に加えて需要家が備えている自家発電装置による発電電力、更には発電電力の逆潮流が発生したら、その売電電力も監視した。
一方で、電力会社との契約が売電無しの場合、即ち逆潮流を不可とする契約の場合は、逆潮流が発生しないよう逆潮流を遮断する必要があり、別途逆電力継電器を設置して逆潮流が発生しないよう制御した。
しかしながら、自家発電装置による逆潮流を不可とする契約の場合でも、監視装置が逆潮流が発生しないよう制御できれば、別途逆電力継電器を設ける必要が無くなりコストダウンを図ることができる。
【０００５】
そこで、本発明はこのような問題点に鑑み、自家発電装置の発電電力が商用電力系統に逆潮流することのないよう自家発電装置を制御する機能を備えた高圧受電設備監視システムを提供することを目的としている。
【課題を解決するための手段】
【０００６】
上記課題を解決する為に、請求項１の発明は、電力会社から送電された商用電力を受電すると共に自家発電装置が接続されて、双方の電力を負荷に供給する高圧受電設備を監視して、外部のクラウドサーバに使用電力情報及び発電電力情報を送信する監視装置を備えた高圧受電設備監視システムであって、監視装置は、自家発電装置の発電電力を制御する発電電力制御部を具備し、発電電力制御部は、発電電力が使用電力を超えないよう制御することを特徴とする。
この構成によれば、監視装置が発電電力制御部を備えて、発電電力が使用電力を超えないよう制御、即ち逆潮流が発生しないよう自家発電装置を制御するため、逆電力継電器の動作による遮断を抑制して、自家発電装置の停止を防ぐことができる。
【０００７】
請求項２の発明は、請求項１に記載の構成において、自家発電装置が太陽光発電装置であり、発電電力制御部は、発電電力を交流に変換するパワーコンディショナを制御して発電電力の抑制を図ることを特徴とする。
この構成のよれば、パワーコンディショナを制御することで、発電電力の無段階制御が可能であり、買電電力を最小限に留めることができ使用電力に応じた無駄の無い制御が可能となる。
【発明の効果】
【０００８】
本発明によれば、使用電力情報及び発電電力情報をクラウドサーバに送信する監視装置が発電電力制御部を備えて、発電電力が使用電力を超えないよう制御、即ち逆潮流が発生しないよう自家発電装置を制御するため、逆電力継電器の動作による遮断を抑制して、自家発電装置の停止を防ぐことができる。
【図面の簡単な説明】
【０００９】
【図１】本発明に係る高圧受電監視システムの一例を示す概略構成図である。
【図２】監視装置のブロック図である。
【図３】発電電力制御部の制御説明図である。
【図４】制御内容の説明図であり、買電電力と使用電力の関係を示すグラフ図である。
【発明を実施するための形態】
【００１０】
以下、本発明を具体化した実施の形態を、図面を参照して詳細に説明する。図１は本発明に係る高圧受電設備監視システムの一例を示す概略構成図を示し、１は高圧受電設備を収容するキュービクル、２はキュービクル１の内部に設置された監視装置、３は自家発電装置としての太陽電池モジュール、４は太陽電池モジュール３が発電した直流電力を交流に変換するパワーコンディショナ、５は監視装置２が収集した各種情報を蓄積するクラウドサーバ、６はキュービクル１の管理者がキュービクル１の状況を把握するために使用する管理端末である。太陽電池モジュール３とパワーコンディショナ４とで太陽光発電装置７を構成している。
【００１１】
監視装置２は通信ネットワークＮに有線又は無線で接続され、キュービクル１内の各所に設置したセンサ等から収集した電圧、電流、温度の情報、更には算出した使用電力情報、発電電力情報等の情報をクラウドサーバ５に送信する。また、管理端末６は監視装置２及びクラウドサーバ５の双方に通信ネットワークＮを介して接続され、必要な情報を入手できる。
【００１２】
図２は監視装置２のブロック図を示している。図２に示すように、監視装置２は、図示しないスマートメータと通信するスマートメータ通信ＩＦ２１、高圧又は低圧電路に設置された図示しない電路から電圧情報を入力する電圧情報入力部２２、同様に高圧又は低圧電路に設置された図示しない変流器からの電流情報を入力する電流情報入力部２３、計測値等を表示する表示部２４、入手したデータを記憶する記憶部２５、パワーコンディショナ４を制御する発電電力制御部２６、使用電力、発電電力の算出等所定の演算を実施すると共に監視装置２を制御する監視装置ＣＰＵ２７、クラウドサーバ５等と通信する外部通信ＩＦ２８等を備えている。
【００１３】
尚、スマートメータは、電力会社から送電された商用電力である高圧受電電力が、キュービクル１内において低圧電力に変換された後の負荷に供給される需要電力を計測するし、逆潮流が発生した場合は逆潮流電力も合わせて計測する。
【００１４】
監視装置２は、電流情報入力部２３の情報から逆潮流の発生を監視すると共に、使用電力が予め設定された電力値（目標デマンド値）を超えると想定されると、特定の負荷に供給する電力を削減或いは遮断するデマンド制御を実施する。このときの制御の基準となる目標デマンド値はクラウドサーバ５に登録されており、この値を入手して制御が成される。
【００１５】
図３は発電電力制御部２６の制御説明図であり、太陽光発電装置７は太陽電池モジュール３とパワーコンディショナ４の組を３組備えた構成を示している。発電電力制御部２６はスマートメータから送られて来る受電電力情報を基に、逆潮流が発生しないよう個々のパワーコンディショナ４を制御する。
図４は具体的な制御内容を示すグラフ図であり、商用電力から受電する買電電力と使用電力の関係を示している。図４において、Ｑ１は負荷に供給される使用電力、Ｑ２は太陽光発電装置７の発電電力、Ｑ３は商用電力からの買電電力であり、使用電力Ｑ１が太陽光発電装置７の最大発電電力Ｑｍを超えている間（Ｔ１の領域）は不足分を買電電力Ｑ３で賄い、最大発電電力Ｑｍが使用電力Ｑ１を上回る間（Ｔ２の領域）は、買電電力Ｑ３を使用すること無く発電電力Ｑ２を制御して使用電力分を賄い、逆潮流を防止することができる。また、図４に示すように、パワーコンディショナ４を制御することで発電電力Ｑ２を無段階制御することができる。
【００１６】
このように、高圧受電設備監視システムが逆潮流が発生しないよう太陽光発電装置７を制御するため、逆電力継電器の動作による遮断を抑制して、太陽光発電装置７の停止を防ぐことができる。
また、監視装置２は逆潮流の発生を監視できるため、系統連系規程に定める逆電力継電器として使用することも可能であり、別途逆電力継電器等の逆潮流の発生を防止する設備を設ける必要が無くなり、最小限のコストで逆潮流を防止できる。
更に、パワーコンディショナ４を制御することで、発電電力Ｑ２を無段階制御して買電電力Ｑ３を最小限に留めることができ、使用電力に応じた無駄の無い制御が可能となる。
【００１７】
尚、上記実施形態は、自家発電装置が太陽光発電装置７の場合を説明したが、風力発電等の他の再生可能発電設備の場合も同様に制御できる。
【符号の説明】
【００１８】
１・・キュービクル（高圧受電設備）、２・・監視装置、４・・パワーコンディショナ、５・・クラウドサーバ、７・・太陽光発電装置（自家発電装置）、２１・・スマートメータ通信ＩＦ、２２・・電圧情報入力部、２３・・電流情報入力部、２６・・発電電力制御部。
【図１】
2020202729.tif 000003
【図２】
2020202729.tif 000004
【図３】
2020202729.tif 000005
【図４】
2020202729.tif 000006